(57)【要約】【課題】蛍光灯からＬＥＤランプへの代替作業を容易、且つ確実に行うことができるＬＥＤランプ用照明装置を提供する。【解決手段】ＬＥＤランプ２０１を接続可能な電源ソケット２０３ａ，２０３ｂと、この電源ソケット２０３ａ，２０３ｂから延びるソケット側リード線２と、このソケット側リード線２と、ＡＣ電源１０６から延びる電源側リード線１０８とを着脱可能に接続するＬＥＤ用ターミナル１０９ｂとを備えた。【選択図】図２
0003175032.tif 000002
【実用新案登録請求の範囲】
【請求項１】
ＬＥＤランプを接続可能な電源ソケットと、
この電源ソケットから延びるソケット側リード線と、
このソケット側リード線と、電源から延びる電源側リード線とを着脱可能に接続するターミナルとを備えたことを特徴とするＬＥＤランプ照明装置。
【請求項２】
前記ＬＥＤランプは、直管形ＬＥＤランプであることを特徴とする請求項１に記載のＬＥＤランプ照明装置。
【考案の詳細な説明】
【技術分野】
【０００１】
この考案は、光源にＬＥＤ（Ｌｉｇｈｔ  Ｅｍｉｔｔｉｎｇ  Ｄｉｏｄｅ：発光ダイオード）を用いるＬＥＤランプを照明器具に取り付けるためのＬＥＤランプ照明装置に関するものである。
【背景技術】
【０００２】
一般に、ＬＥＤランプは、低電圧で駆動することができ、蛍光灯などと比較して長寿命、低消費電力、素早い反応速度、及び耐衝撃性を有しており、小型、軽量化を図ることができる。ところで、例えば、物流センターの倉庫等では、照明器具として１１０形の直管形蛍光灯が多く使用されているが、１１０形の直管形蛍光灯の製造廃止に伴い、既存の照明器具をできる限り利用しつつ、直管形ＬＥＤランプへ代替しようとする試みが促進されている。
ここで、図６、図７に基づいて、直管形蛍光灯を点灯させる蛍光灯用照明装置と、直管形ＬＥＤランプを点灯させるＬＥＤランプ用照明装置について説明する。
【０００３】
図６は、１１０形の直管形蛍光灯１０１を点灯させる蛍光灯用照明装置１００の概略構成図である。
同図に示すように、蛍光灯用照明装置１００は、直管形蛍光灯１０１の両端に設けられている口金１０２ａ，１０２ｂを、それぞれ装着可能な一対の電源ソケット１０３ａ，１０３ｂを２組みと、これら一対の電源ソケット１０３ａ，１０３ｂの間に配置され、各電源ソケット１０３ａ，１０３ｂにリード線１０４を介して接続されている安定器１０５と、安定器１０５からＡＣ電源１０６に向かって延びる安定器側リード線１０７と、この安定器側リード線１０７に接続されていると共に、ＡＣ電源１０６から延びる電源側リード線１０８を着脱可能に接続するターミナル１０９とを備えている。
【０００４】
安定器１０５は、照明を安定化させるためのものであって、所謂ラピッドスタート式の安定器である。この種の安定器１０５は、ＡＣ電源１０６から入力される電源を高圧電源に変換して出力し、この電源を各電源ソケット１０３ａ，１０３ｂに印加する。これにより、直管形蛍光灯１０１が点灯する。
尚、安定器１０５は、ラピッドスタート式のものに限らず、別途のグロースタータ用いて所謂グロースタータ式の安定器を用いることや、電子式のインバーターの安定器を用いることも可能である。また、一対の電源ソケット１０３ａ，１０３ｂの組数は２組みに限られるものではなく、所望の直管形蛍光灯１０１の個数に応じて組数を変更すればよい。
【０００５】
図７は、両端給電の直管形ＬＥＤランプ２０１を点灯させるＬＥＤランプ用照明装置２００の概略構成図である。
同図に示すように、ＬＥＤランプ用照明装置２００は、両端給電の直管形ＬＥＤランプ２０１の両端に設けられている口金２０２ａ，２０２ｂを、それぞれ装着可能な一対の電源ソケット２０３ａ，２０３ｂを２組みと、各電源ソケット２０３ａ，２０３ｂから延びるソケット側リード線２０４と、このソケット側リード線２０４に接続されると共に、ＡＣ電源１０６から延びる電源側リード線１０８を着脱可能に接続するターミナル１０９とを備えている。
尚、一対の電源ソケット２０３ａ，２０３ｂの組数は２組みに限られるものではなく、所望の直管形ＬＥＤランプ２０１の個数に応じて組数を変更すればよい。
【０００６】
ここで、直管形ＬＥＤランプ２０１には、ＡＣ電源１０６から入力される電源を直流に変換してＬＥＤに供給するためのＡＣ／ＤＣコンバータ（何れも不図示）が内蔵されている。直管形ＬＥＤランプ２０１は、直管形蛍光灯１０１のように安定器１０５を必要とせず、仮に安定器１０５を介して直管形ＬＥＤランプ２０１を接続すると、直管形ＬＥＤランプ２０１が動作しないか、損傷してしまう虞がある。
【０００７】
このため、蛍光灯用照明装置１００を利用しつつ、直管形蛍光灯１０１を直管形ＬＥＤランプ２０１に代替しようとすると、まず、図６に示すように、蛍光灯用照明装置１００のリード線１０４、及び安定器側リード線１０７を切断する（図６における×印参照）。そして、安定器１０５を取り除いた後（図７における×印参照）、図７に示すように、一端に電源ソケット２０３ａ，２０３ｂが接続されたソケット側リード線２０４の他端をターミナル１０９に直結接続することになる。この接続方法としては、例えば、切断した安定器側リード線１０７、及びソケット側リード線２０４の端末部の被覆を剥き、両者１０７，２０４をスリーブ等の接続端子を用いてカシメ固定する方法がある。
【０００８】
また、このような代替作業は、片側給電の直管形ＬＥＤランプにも同様のことがいえる。すなわち、蛍光灯用照明装置１００を利用し、直管形蛍光灯１０１を片側給電の直管形ＬＥＤランプに代替しようとすると、まず、安定器１０５と、一対の電源ソケット１０３ａ，１０３ｂのうちの一方、及びこれに接続されているリード線１０４とを取り除く。この後、ターミナル１０９に、一対の電源ソケット２０３ａ，２０３ｂのうちの一方が接続されたソケット側リード線２０４を直結接続する。
【先行技術文献】
【特許文献】
【０００９】
【特許文献１】特開２０１１−４９１４３号公報
【考案の概要】
【考案が解決しようとする課題】
【００１０】
上述のように、従来技術にあっては、直管形蛍光灯１０１から直管形ＬＥＤランプ２０１への代替作業が煩わしく、作業時間がかかるばかりか、人為的な接続ミスが生じる虞があるという課題がある。
【００１１】
そこで、この考案は、上述した事情に鑑みてなされたものであって、蛍光灯からＬＥＤランプへの代替作業を容易、且つ確実に行うことができるＬＥＤランプ用照明装置を提供するものである。
【課題を解決するための手段】
【００１２】
上記の課題を解決するために、請求項１に記載した考案は、ＬＥＤランプを接続可能な電源ソケットと、この電源ソケットから延びるソケット側リード線と、このソケット側リード線と、電源から延びる電源側リード線とを着脱可能に接続するターミナルとを備えたことを特徴とする。
この場合、請求項２に記載した考案のように、前記ＬＥＤランプは、直管形ＬＥＤランプであると好適である。
【考案の効果】
【００１３】
本考案によれば、従来の蛍光灯用照明装置１００が接続されている電源側リード線１０８からターミナル１０９を引き抜き、その電源側リード線１０８に本考案のターミナルを接続するだけで、従来の蛍光灯用照明装置１００にＬＥＤランプを取り付けることが可能になる。このため、蛍光灯からＬＥＤランプへの代替作業を容易、且つ確実に行うことができる。
【図面の簡単な説明】
【００１４】
【図１】本考案の第１実施形態における蛍光灯用照明装置の概略構成図である。
【図２】本考案の第１実施形態におけるＬＥＤランプ用照明装置の概略構成図である。
【図３】本考案の第１実施形態における直管形蛍光灯から直管形ＬＥＤランプに代替した状態を示す概略構成図である。
【図４】本考案の第２実施形態におけるＬＥＤランプ用照明装置の概略構成図である。
【図５】本考案の第２実施形態における直管形蛍光灯から直管形ＬＥＤランプに代替した状態を示す概略構成図である。
【図６】従来の蛍光灯用照明装置の概略構成図（×は加工箇所）である。
【図７】従来のＬＥＤランプ用照明装置の概略構成図（×は不使用部）である。
【考案を実施するための形態】
【００１５】
（第１実施形態）
（蛍光灯用照明装置）
次に、この考案の第１実施形態を図１、図２に基づいて説明する。
図１は、本考案に掛かるＬＥＤランプ用照明装置１を適用可能な蛍光灯用照明装置１０の概略構成図である。尚、以下の説明において、従来技術と同一の構成については同一符号を付して説明を省略する。
【００１６】
同図に示すように、蛍光灯用照明装置１０は、２つの１１０形の直管形蛍光灯１０１の両端に設けられている口金１０２ａ，１０２ｂを、それぞれ装着可能な一対の電源ソケット１０３ａ，１０３ｂを２組みと、これら一対の電源ソケット１０３ａ，１０３ｂの間に配置され、各電源ソケット１０３ａ，１０３ｂにリード線１０４を介して接続されている安定器１０５と、安定器１０５からＡＣ電源１０６に向かって延びる安定器側リード線１０７と、この安定器側リード線１０７に接続されていると共に、ＡＣ電源１０６から延びる電源側リード線１０８を着脱可能に接続する蛍光灯用ターミナル１０９ａとを備えている。
【００１７】
（ＬＥＤランプ用照明装置）
図２は、ＬＥＤランプ用照明装置１の概略構成図である。
同図に示すように、ＬＥＤランプ用照明装置１は、両端給電の直管形ＬＥＤランプ２０１が使用される。ＬＥＤランプ用照明装置１は、直管形ＬＥＤランプ２０１の両端に設けられている口金２０２ａ，２０２ｂを、それぞれ装着可能な一対の電源ソケット２０３ａ，２０３ｂを２組みと、各電源ソケット２０３ａ，２０３ｂから延びるソケット側リード線２と、このソケット側リード線２に接続されていると共に、ＡＣ電源１０６から延びる電源側リード線１０８を着脱可能に接続するＬＥＤ用ターミナル１０９ｂとを備えている。
【００１８】
（直管形蛍光灯から直管形ＬＥＤランプへの代替作業）
次に、図１、図３に基づいて、直管形蛍光灯１０１から直管形ＬＥＤランプ２０１への代替作業について説明する。
図３は、直管形蛍光灯１０１から直管形ＬＥＤランプ２０１に代替した状態を示す概略構成図である。
まず、図１に示すように、蛍光灯用照明装置１０の電源ソケット１０３ａ，１０３ｂから直管形蛍光灯１０１を脱着する。さらに、電源側リード線１０８から蛍光灯用ターミナル１０９ａを引き抜く（図１における矢印Ｙ１参照）。
【００１９】
続いて、図３に示すように、蛍光灯用ターミナル１０９ａが引き抜かれた電源側リード線１０８に、ＬＥＤランプ用照明装置１のＬＥＤ用ターミナル１０９ｂを差し込む（図３における矢印Ｙ２参照）。そして、電源ソケット２０３ａ，２０３ｂに直管形ＬＥＤランプ２０１を装着し、直管形蛍光灯１０１から直管形ＬＥＤランプ２０１への代替作業が完了する。
また、このとき、先に取り外した蛍光灯用照明装置１０を照明ケース３０内の空スペースに収納する。これにより、蛍光灯用照明装置１０の保管も容易に行うことができる。
【００２０】
（効果）
したがって、上述の第１実施形態によれば、ＬＥＤランプ用照明装置１を、電源ソケット２０３ａ，２０３ｂと、ソケット側リード線２と電源側リード線１０８とを着脱可能に接続するＬＥＤ用ターミナル１０９ｂと、これら電源ソケット２０３ａ，２０３ｂとＬＥＤ用ターミナル１０９ｂとを接続するソケット側リード線２とにより構成することにより、電源側リード線１０８から蛍光灯用ターミナル１０９ａを引き抜き、この蛍光灯用ターミナル１０９ａに代わってＬＥＤ用ターミナル１０９ｂを差し込むだけで、蛍光灯用照明装置１０からＬＥＤランプ用照明装置１に代替させることができる。このため、従来と比較して直管形蛍光灯１０１から直管形ＬＥＤランプ２０１への代替作業を容易、且つ確実に行うことができる。
【００２１】
（第２実施形態）
次に、この考案の第２実施形態を図１を援用し、図４、図５に基づいて説明する。尚、第１実施形態と同一態様には、同一符号を付して説明する。
図４は、この考案の第２実施形態におけるＬＥＤランプ用照明装置２１の概略構成図、図５は、直管形蛍光灯１０１から直管形ＬＥＤランプ２２１に代替した状態を示す概略構成図である。
この第２実施形態において、蛍光灯用照明装置１０は、直管形蛍光灯１０１の両端に設けられている口金１０２ａ，１０２ｂを、それぞれ装着可能な一対の電源ソケット１０３ａ，１０３ｂを２組みと、これら一対の電源ソケット１０３ａ，１０３ｂの間に配置され、各電源ソケット１０３ａ，１０３ｂにリード線１０４を介して接続されている安定器１０５と、安定器１０５からＡＣ電源１０６に向かって延びる安定器側リード線１０７と、ＡＣ電源１０６から延びる電源側リード線１０８とを着脱可能に接続する蛍光灯用ターミナル１０９ａとを備えている点は、前述の第１実施形態と同様である。
【００２２】
ここで、第２実施形態と第１実施形態との相違点は、第１実施形態のＬＥＤランプ用照明装置１は、両端給電の直管形ＬＥＤランプ２０１を使用するためのものであるのに対し、第２実施形態のＬＥＤランプ用照明装置２１は、片側給電の直管形ＬＥＤランプ２２１を使用するためのものである点にある。
【００２３】
すなわち、図４に示すように、ＬＥＤランプ用照明装置２１は、直管形ＬＥＤランプ２０１の一端に設けられている口金２０２ａを装着可能な電源ソケット２０３ａを２つと、これら電源ソケット２０３ａから延びるソケット側リード線２と、このソケット側リード線２に接続されると共に、ＡＣ電源１０６から延びる電源側リード線１０８を着脱可能に接続するＬＥＤ用ターミナル１０９ｂとを備えている。
【００２４】
このような構成のもと、図５に示すように、ＡＣ電源１０６から延びる電源側リード線１０８から蛍光灯用ターミナル１０９ａを引き抜き、この蛍光灯用ターミナル１０９ａに代わってＬＥＤランプ用照明装置２１のＬＥＤ用ターミナル１０９ｂを差し込むことにより、直管形蛍光灯１０１から直管形ＬＥＤランプ２０１への代替作業が完了する。また、先に取り外した蛍光灯用照明装置１０を照明ケース３０内の空スペースに収納することで、蛍光灯用照明装置１０の保管も容易に行うことができる。
したがって、上述の第２に実施形態によれば、直管形蛍光灯１０１から片側給電の直管形ＬＥＤランプ２２１に代替する場合であっても、この代替作業を容易、且つ確実に行うことができる。
【００２５】
尚、本考案は上述の実施形態に限られるものではなく、本考案の趣旨を逸脱しない範囲において、上述の実施形態に種々の変更を加えたものを含む。
例えば、上述の実施形態では、蛍光灯として、１１０形の直管形蛍光灯１０１が使用される蛍光灯用照明装置１０を、直管形ＬＥＤランプ２０１が使用されるＬＥＤランプ用照明装置１に代替する場合について説明した。しかしながら、代替対象となる蛍光灯は、１１０形の直管形蛍光灯１０１に限られるものではなく、さまざまな蛍光灯をＬＥＤランプに代替させる場合に、本考案を適用することが可能である。
【００２６】
また、上述の実施形態では、蛍光灯用照明装置１０は、２つの１１０形の直管形蛍光灯１０１を使用可能な照明装置である場合について説明した。しかしながら、これに限られるものではなく、所望の直管形蛍光灯１０１の個数に応じて、電源ソケット１０３ａ，１０３ｂを設ければよい。
さらに、上述の第１実施形態では、ＬＥＤランプ用照明装置１は、２つの直管形ＬＥＤランプ２０１を使用する照明装置である場合について説明し、上述の第２実施形態では、２つの直管形ＬＥＤランプ２２１使用可能な照明装置である場合について説明した。しかしながら、これに限られるものではなく、所望の直管形ＬＥＤランプ２０１，２２１の個数に応じて電源ソケット２０３ａ，２０３ｂを設ければよい。
【符号の説明】
【００２７】
１，２１  ＬＥＤランプ照明装置
２  ソケット側リード線
１０６  ＡＣ電源（電源）
１０８  電源側リード線
１０９ａ  ＬＥＤ用ターミナル（ターミナル）
２０１，２２１  ＬＥＤランプ
２０３ａ，２０３ｂ  電源ソケット
【図１】
0003175032.tif 000003
【図２】
0003175032.tif 000004
【図３】
0003175032.tif 000005
【図４】
0003175032.tif 000006
【図５】
0003175032.tif 000007
【図６】
0003175032.tif 000008
【図７】
0003175032.tif 000009